(57)【要約】      （修正有）【課題】扱室に内装の扱胴の下方に配設した円弧型の受け網を外側受け網と内側受け網とにし、内側受け網をこれに係合するストッパー片にて所定の装着位置に保持する一方、外側受け網を着脱可能に装着して成る脱穀装置において、各受け網の掃除や交換等の作業性の向上を図る。【解決手段】ストッパー片２６を可動式にして、外側受け網２２を所定の装着位置に取り付けたとき、及び外側受け網２２を所定の装着位置から取り外すときに、内側受け網２３に対する係合が外れる構成にする。【選択図】図６
2012120492.tif 000002
【特許請求の範囲】
【請求項１】
扱室に内装した扱胴の下方に配設した円弧型の受け網を，前記扱室の開口から円弧に沿って出し入れ可能な外側受け網と内側受け網とにし，前記内側受け網を，これに係合するストッパー片にて所定の装着位置に保持する一方，前記外側受け網を着脱可能に装着して成る脱穀装置において，
前記ストッパー片を，可動式にして，前記外側受け網を所定の装着位置に取り付けたとき，及び前記外側受け網を所定の装着位置から取り外すときに，前記内側受け網に対する係合が外れる構成にしたことを特徴とする脱穀装置。
【請求項２】
前記請求項１の記載において，前記ストッパー片を，前記内側受け網を所定の装着位置にしたとき，この内側受け網における重量を当該ストッパー片への係合にて支持するようにした部位に位置する構成にしたことを特徴とする脱穀装置。
【請求項３】
前記請求項１の記載において，前記外側受け網と前記内側受け網との間に，着脱可能に連結させるフックバネを設ける構成にしたことを特徴とする脱穀装置。
【発明の詳細な説明】
【技術分野】
【０００１】
本発明は，コンバイン等に搭載される脱穀装置に関するもである。
【背景技術】
【０００２】
一般に，コンバインに搭載される脱穀装置においては，扱室に内装した扱胴の下側に円弧型にした受け網を装着して，扱胴にて脱穀した穀粒を，この受け網より下方に漏下するように構成している。
【０００３】
先行技術としての特許文献１及び２等には，
「前記円弧型の受け網を，前記扱胴の軸線方向から見て外側受け網と内側受け網とにして，この各受け網を，前記扱室の側面の開口から円弧に沿って出し入れ可能に構成し，前記内側受け網を，ストッパー片への係合によって所定の装着位置に保持する一方，前記外側受け網を扱室側に着脱可能に装着し，この外側受け網を，扱室外に取り外することに続いて，その奥に位置する前記内側受け網を，所定の装着位置から引き出して扱室外に取り外すことができるように構成する。」
ことが記載されている。
【先行技術文献】
【特許文献】
【０００４】
【特許文献１】特開平０７−０６７４６３号公報
【特許文献２】特開平０７−２０３７５２号公報
【発明の概要】
【発明が解決しようとする課題】
【０００５】
しかし，これら先行技術は，そのいずれも，前記内側受け網に対するストッパー片が固定式であることにより，前記内側受け網を，所定の装着位置から引き出して扱室外に取り外すに際しては，作業者は，外側受け網を取り外したのち，手を扱室の中に入れて，前記内側受け網を持ち上げて，前記ストッパー片に対する係合を外したのち引き出するようにしなければならないから，この取り外し作業が面倒であり，作業性が低いという問題があった。
【０００６】
本発明は，この問題を解消することを技術的課題としている。
【課題を解決するための手段】
【０００７】
この技術的課題を達成するため請求項１は，
「扱室に内装した扱胴の下方に配設した円弧型の受け網を，前記扱室の開口から円弧に沿って出し入れ可能な外側受け網と内側受け網とにし，前記内側受け網を，これに係合するストッパー片にて所定の装着位置に保持する一方，前記外側受け網を着脱可能に装着して成る脱穀装置において，
前記ストッパー片を，可動式にして，前記外側受け網を所定の装着位置に取り付けたとき，及び前記外側受け網を所定の装着位置から取り外すときに，前記内側受け網に対する係合が外れる構成にした。」
ことを特徴としている。
【０００８】
また，請求項２は，
「前記請求項１の記載において，前記ストッパー片を，前記内側受け網を所定の装着位置にしたとき，この内側受け網における重量を当該ストッパー片への係合にて支持するようにした部位に位置する構成にした。」
ことを特徴としている。
【０００９】
更にまた，請求項３は，
「前記請求項１の記載において，前記外側受け網と前記内側受け網との間に，着脱可能に連結させるフックバネを設ける構成にした。」
ことを特徴としている。
【発明の効果】
【００１０】
請求項１によると，内側受け網を所定の装着位置に装着すると，この内側受け網は，これにストッパー片が係合することにより，前記した所定の装着位置に保持される。
【００１１】
次いで，外側受け網を所定の装着位置に装着することにより，前記ストッパー片は，前記内側受け網に対する係合が外れた状態になる。
【００１２】
そして，この係合が外れた状態は，前記外側受け網を所定の装着位置から取り外すときにおいて維持される。
【００１３】
そこで，前記外側受け網を，所定の装着位置から取り外すことにより，これに続いて，その奥の内側受け網を，ストッパー片にかかわらず，所定の装着位置から引き出して扱室外に取り外すことができる。
【００１４】
これにより，前記内側受け網と前記外側受け網とを，その順番で所定の装着位置に装着することができるものでありながら，奥に位置する前記内側受け網を，前記先行技術のように，ストッパー片に対する係合を手で解除する操作を必要とすることなく，所定の装着位置から容易に引き出して，扱室外に取り外すことができるから，各受け網の掃除や交換等の作業性を大幅に向上できる。
【００１５】
また，請求項２によると，前記外側受け網を取り外すと，これに次いで，前記内側受け網が，当該内側受け網における重量によって，所定の装着位置から取り出し方向に引き出されることになるから，奥に位置する前記内側受け網を所定の装着から引き出することがより容易になり，作業性をより向上できる。
【００１６】
更にまた，請求項３によると，前記外側受け網を取り外すことにより，これにフックバネにて連結されている内側受け網を，奥における所定の装着位置から引き出すことができるとともに，前記外側受け網と一緒に取り外すことができるから，奥に位置する前記内側受け網を引き出して取り外すことが一層容易にできる。
【図面の簡単な説明】
【００１７】
【図１】コンバインの側面図である。
【図２】コンバインの平面図である。
【図３】コンバインに搭載した脱穀装置の縦断正面図である。
【図４】図１のIV−IV視断面図である。
【図５】脱穀装置における受け網の要部拡大図で分解した状態を示している。
【図６】脱穀装置における受け網の要部拡大図で取付けた状態を示している。
【発明を実施するための形態】
【００１８】
以下，本発明の実施の形態を，図１〜図６の図面について説明する。
【００１９】
図１及び図２は，自走自脱型のコンバインを示しており，このコンバイン１は，従来から良く知られているように，走行クローラ２等の走行装置にトラックフレーム２ａを介して支持された車体３に，脱穀装置４を搭載し，この車体３の前部における刈取装置４０にて刈り取った穀稈を，前記脱穀装置４におけるフィードチエン５に送り，前記脱穀装置４において脱穀するという構成である。
【００２０】
なお，前記脱穀装置４において脱穀され，選別された穀粒は，前記車体３に搭載の穀粒タンク６に一旦蓄えられ，この穀粒タンク６から搬出オーガー７より搬出されるものであり，また，前記車体３には，前記脱穀装置４及び穀粒タンク６のほかに，動力源としてのエンジン８及び運転席キャビン９等が設けられている。
【００２１】
前記脱穀装置４は，図３及び図４に示すように，前記コンバイン１の前後方向に延びる軸線を有する扱胴１１を内装した扱室１０を備え，この扱室１０の外側の側面には，前記フィードチエン５が配設され，このフィードチエン５にて後方に搬送される穀稈を，前記扱室１０内において前記扱胴１１にて脱穀するという構成であり，前記扱室１０の下部には，前記扱胴１１の略下半分を囲うように円弧型にした受け網１２が設けられている。
【００２２】
前記扱室１０内の扱胴１１にて脱穀された穀粒は，前記受け網１２より漏下し，その下方に配設した揺動選別機構１３において，唐箕フアン１４から吹き出されたのち排塵フアン１５にて吸引される唐箕風により，藁屑等を除くように風選別され，受け樋１６に集められ，そして，揚穀塔１７にて搬送されて前記穀粒タンク６に蓄えられる。
【００２３】
また，脱穀の終わった空の穀稈は，フィードチエン５から排出コンベア１８に受け継がれ，更に後方に送られ，カッター機構１９にて細かく切断されたのち排出される。
【００２４】
前記扱室１０のうち前記フィードチエン５側の側面には，蓋板２１にて開閉される開口２０を備えている。
【００２５】
一方，前記受け網１２は，前記開口２０に隣接する外側受け網２２と，これよりも奥に位置する内側受け網２３とで構成され，これら外側受け網２２及び内側受け網２３の両方は，前記開口２０から出し入れできるように，図示しない円弧状レールにて支持されるという構成になっている。
【００２６】
前記扱室１０内のうち，前記外側受け網２２と前記内側受け網２３とが接合する部分には，前記扱胴１１の軸線方向に延びる支持部材２４が固着されていて，この支持部材２４に固着した受け板２５の上面に，前記外側受け網２２の終端におけるフランジ２２ａと，前記内側受け網２３の始端におけるフランジ２３ａとの両方を載せることによって，前記内外の両受け網２２，２３を前記支持部材２４にて支持するように構成している。
【００２７】
前記支持部材２４における受け板２５には，図５及び図６に示すように，ストッパー片２６が設けられている。
【００２８】
このストッパー片２６は，ピン２７を中心して自在に回転する可動式であり，前記内側受け網２３が所定の装着位置にあるとき，その始端におけるフランジ２３ａに係合することにより，前記内側受け網２３を所定の装着位置に保持するという構成である。
【００２９】
このストッパー片２６には，当該ストッパー片２６が前記内側受け網２３に対して係合する状態に付勢するばね２８が設けられている。
【００３０】
更に，前記ストッパー片２６には，前記外側受け網２２の終端におけるフランジ２２ａが接当するガイド面２９を備えており，前記ストッパー片２６は，そのガイド面２９に前記外側受け網２２におけるフランジ２２ａが接当することにより，前記内側受け網２３に対する係合が外れるように構成されている。
【００３１】
つまり，前記ストッパー片２６は，そのガイド面２９に，前記外側受け網２２の終端におけるフランジ２２ａが接当することにより，前記外側受け網２２を所定の装着位置に取り付けたとき，及び前記外側受け網２２を所定の装着位置から取り外すときに，前記内側受け網２３に対する係合が外れるという構成になっている。
【００３２】
この構成において，前記内側受け網２３を所定の装着位置に装着すると，この内側受け網２３は，図５に示すように，これにストッパー片２６が係合することにより，前記内側受け網２３は，前記した所定の装着位置に保持される。
【００３３】
なお，前記ストッパー片２６の内側受け網２３への係合は，これに設けたばね２８にて自動的に行なわれる。つまり，前記内側受け網２３は，これを押し込むことで，所定の装着位置に取り付け（保持）できる。
【００３４】
次いで，前記外側受け網２２を所定の装着位置に装着するように取付ける。これにより，前記ストッパー片２６は，図６に示すように，そのガイド面２９に前記外側受け網２２におけるフランジ２２ａが接当することによって，前記内側受け網２３に対する係合が外れた状態になる。
【００３５】
前記ストッパー片２６の前記外側受け網２２による係合解除の状態は，そのガイド面２９の存在によって，前記外側受け網２２を所定の装着位置から取り外したときにおいても維持されるから，前記外側受け網２２を所定の装着位置から取り外すことにより，これに続いて，前記内側受け網２３を，ストッパー片２６にかかわらず，所定の装着位置から引き出して，扱室外に取り外すことができる。
【００３６】
これにより，前記内側受け網２３と前記外側受け網２２とをその順番に装着することができるものでありながら，奥に位置する前記内側受け網２３を，ストッパー片２６に対する係合を解除する操作を必要とすることなく，所定の装着位置から引き出して，扱室１０の外に取り外すことができる。
【００３７】
この場合，別の実施の形態においては，前記内側受け網２３の終端におけるフランジ２３ａ及びこれに係合する前記ストッパー片２６を，例えば，図４に示すように，前記扱胴１１の中心を通る鉛直線３０よりも適宜寸法ｅだけ内側に偏芯した位置にするというように，前記ストッパー片２６には，前記内側受け網２３を所定の装着位置したときにこの内側受け網２３における重量が当該ストッパー片２６に作用するという構成にする。
【００３８】
この構成にすることにより，前記外側受け網２２を取り外すと，これに次いで，前記内側受け網２３が，前記ストッパー片２６の係合から外れた状態で，当該内側受け網２３における重量によって，所定の装着位置から取り出し方向に自動的に引き出されることになるから，前記内側受け網２３を所定の装着位置から引き出することが簡単にできる。
【００３９】
更に，別の実施の形態においては，図５及び図６に示すように，前記外側受け網２２の終端におけるフランジ２２ａに，板ばね製のフックバネ３１を設けて，このフックバネ３１を，前記内側受け網２３の始端におけるフランジ２３ａに着脱可能に係合することにより，前記外側受け網２２と，前記内側受け網２３とを着脱可能に連結するという構成にする。
【００４０】
この構成によると，前記外側受け網２２を取り外すことにより，これにフックバネ３１にて連結されている奥の内側受け網２３を，所定の装着位置から引き出すことができるとともに，前記外側受け網２２と一緒に取り外すことができるから，奥に位置する前記内側受け網を引き出して取り外すことが一層容易にできる。
【符号の説明】
【００４１】
１                  コンバイン
４                  脱穀装置
１０                扱室
１１                扱胴
１２                受け網
２０                扱室の開口
２１                蓋板
２２                外側受け網
２３                内側受け網
２４                支持部材
２５                受け板
２６                ストッパー片
２７                ピン
２８                ばね
２９                ストッパー片のガイド面
３１                フックバネ
【図１】
2012120492.tif 000003
【図２】
2012120492.tif 000004
【図３】
2012120492.tif 000005
【図４】
2012120492.tif 000006
【図５】
2012120492.tif 000007
【図６】
2012120492.tif 000008